(57)【特許請求の範囲】
【請求項１】
無線送信受信ユニット（ＷＴＲＵ）にて実施されるアップリンク（ＵＬ）送信ダイバーシティを実行するための方法であって、
複数の送信アンテナ上でパイロットビットを送信するステップと、
前記パイロットビットを送信するステップに応答して、物理チャネルを介して、ＵＬプリコーディング情報を受信するステップであって、前記ＵＬプリコーディング情報を受信するステップは、前記物理チャネルのスロット上でＵＬプリコーディングインジケータビットを受信することを含み、前記ＵＬプリコーディングインジケータビットは、ＵＬプリコーディング重みを識別するステップと、
前記ＵＬプリコーディング重みをＵＬ送信に適用するステップと、
前記ＵＬ送信を送信するステップと
を備え、
前記複数の送信アンテナ上で前記パイロットビットを送信するステップは、前記複数の送信アンテナを使用して異なるチャネライゼーションコードを有する複数の専用物理制御チャネル（ＤＰＣＣＨ）上で前記パイロットビットを送信することを含む
ことを特徴とする方法。
【請求項２】
前記物理チャネルは、前記ＵＬプリコーディングインジケータビットを含むアップリンクプリコーディング情報（ＵＰＣＩ）フィールドを含むことを特徴とする請求項１に記載の方法。
【請求項３】
前記物理チャネルは、拡張専用チャネルアクセス許可チャネル（Ｅ−ＡＧＣＨ）を含むことを特徴とする請求項１に記載の方法。
【請求項４】
前記ＵＬプリコーディング情報の受信後にタイマーを開始するステップと、
前記タイマーの満了を条件に、デフォルトプリコーディング重みを適用するステップと
をさらに備えることを特徴とする請求項１に記載の方法。
【請求項５】
前記複数のアンテナのうちの第２のアンテナ上で送信される前記複数のＤＰＣＣＨのうちのＤＰＣＣＨは、送信電力制御（ＴＰＣ）情報を含まないことを特徴とする請求項１に記載の方法。
【請求項６】
前記ＵＬプリコーディング重みをＵＬ送信に適用するステップは、前記ＵＬプリコーディング情報を受信して予め定められた時間オフセット後に、前記ＵＬプリコーディング重みを前記ＵＬ送信に適用することを含むことを特徴とする請求項１に記載の方法。
【請求項７】
無線送信受信ユニット（ＷＴＲＵ）であって、
複数のアンテナと、
受信機と、
送信機と、
前記受信機および前記送信機と通信するプロセッサであって、前記プロセッサは、
前記複数のアンテナ上でパイロットビットを送信し、
前記パイロットビットを送信することに応答して、物理チャネルを介して、アップリンク（ＵＬ）プリコーディング情報を受信し、前記ＵＬプリコーディング情報を受信するために、前記プロセッサは、前記物理チャネルのスロット上でＵＬプリコーディングインジケータビットを受信するようにさらに構成され、前記ＵＬプリコーディングインジケータビットは、ＵＬプリコーディング重みを識別し、
前記ＵＬプリコーディング重みをＵＬ送信に適用し、
前記ＵＬ送信を送信するように構成されたプロセッサと
を備え、
前記プロセッサは、前記複数のアンテナを使用して異なるチャネライゼーションコードを有する複数の専用物理制御チャネル（ＤＰＣＣＨ）上で前記パイロットビットを送信するようにさらに構成される
ことを特徴とする無線送信受信ユニット（ＷＴＲＵ）。
【請求項８】
前記物理チャネルは、前記ＵＬプリコーディングインジケータビットを含むアップリンクプリコーディング情報（ＵＰＣＩ）フィールドを含むことを特徴とする請求項７に記載のＷＴＲＵ。
【請求項９】
前記物理チャネルは、拡張専用チャネルアクセス許可チャネル（Ｅ−ＡＧＣＨ）を含むことを特徴とする請求項７に記載のＷＴＲＵ。
【請求項１０】
前記プロセッサは、前記ＵＬプリコーディング情報の受信後にタイマーを開始し、前記タイマーの満了を条件に、デフォルトプリコーディング重みを適用するように構成されたことを特徴とする請求項７に記載のＷＴＲＵ。
【請求項１１】
前記プロセッサは、前記複数のアンテナのうちの第２のアンテナ上で送信される前記複数のＤＰＣＣＨのうちのＤＰＣＣＨに、送信電力制御（ＴＰＣ）情報を含めないように構成されたことを特徴とする請求項７に記載のＷＴＲＵ。
【請求項１２】
前記プロセッサは、前記ＵＬプリコーディング情報を受信して予め定められた時間オフセット後に、前記ＵＬプリコーディング重みを前記ＵＬ送信に適用するように構成されたことを特徴とする請求項７に記載のＷＴＲＵ。
【請求項１３】
無線送信受信ユニット（ＷＴＲＵ）によって実行される方法であって、
複数のアンテナ上でパイロットビットを送信するステップと、
前記パイロットビットを送信するステップに応答して、物理チャネルを介して、アップリンク（ＵＬ）プリコーディング情報を受信するステップであって、前記ＵＬプリコーディング情報は、ＵＬプリコーディング重みを識別するステップと、
前記ＵＬプリコーディング重みをＵＬ送信に適用するステップと、
前記ＵＬ送信を送信するステップと
を備え、
前記複数のアンテナ上で前記パイロットビットを送信するステップは、前記複数のアンテナを使用して異なるチャネライゼーションコードを有する複数の専用物理制御チャネル（ＤＰＣＣＨ）上で前記パイロットビットを送信することを含む
ことを特徴とする方法。
【請求項１４】
無線送信受信ユニット（ＷＴＲＵ）によって実行される方法であって、
複数のアンテナ上でパイロットビットを送信するステップと、
前記パイロットビットを送信するステップに応答して、物理チャネルを介して、アップリンク（ＵＬ）プリコーディング情報を受信するステップであって、前記ＵＬプリコーディング情報は、ＵＬプリコーディング重みを識別するステップと、
前記ＵＬプリコーディング重みをＵＬ送信に適用するステップと、
前記ＵＬ送信を送信するステップと
を備え、
前記複数のアンテナ上で前記パイロットビットを送信するステップは、前記複数のアンテナを使用して複数の専用物理制御チャネル（ＤＰＣＣＨ）上で異なるパイロットビットシーケンスを送信することを含む
ことを特徴とする方法。
【発明の詳細な説明】
【技術分野】
【０００１】
この出願は無線通信に関する。
【背景技術】
【０００２】
本出願は、2009年3月16日に出願された番号第61/160,592号、2009年10月2日に出願された番号第61/248,241号、および2010年2月11日に出願された番号第61/303,443号の米国仮出願の利益を主張し、ここにこの番号を参照することにより、そのすべての開示内容を本明細書の一部とする。
【０００３】
ＷＴＲＵ（Wireless Transmit/Receive Unit：無線送受信ユニット）は、受信アンテナ・ダイバーシティを備えることができる。例えば３ＧＰＰ（3rd Generation Partnership Project）の要件におけるある受信機種別を、受信ダイバーシティを想定して設計することができる。その上、３ＧＰＰ  ＷＣＤＭＡ（Wideband Code Division Multiple Access）ＦＤＤ（Frequency Division Duplex）仕様のＲ７（Release7）などの技術仕様においては、ダウンリンクＭＩＭＯ（Multiple-Input Multiple-Output）動作に対する支援が定義されている。Ｒ７  ＭＩＭＯにおいては、例えば送信機（例えばノードＢ（Ｎｏｄｅ−Ｂ））での２つのアンテナおよび受信機（例えばＷＴＲＵ）での２つのアンテナによって空間的多重化が達成される。ＭＩＭＯ受信機により達成可能な潜在的な高データ速度および受信ダイバーシティ単独でもたらす性能の増加という理由により、２つの受信アンテナを伴って構築されるＷＴＲＵの数は、ここ何年かで増加する可能性がある。
【０００４】
しかしながら、ＷＴＲＵは、受信ダイバーシティおよびＭＩＭＯ動作に対して複数のアンテナを伴って構築される場合があるが、現時点ではＷＴＲＵが空間的ダイバーシティを使用して送信する方法がない。そうすることにより、干渉が低いという理由によるシステムレベルの利得とともに、ＵＬ（UpLink：アップリンク）通信可能範囲を増大させることを可能性として提供することができる。したがって、アップリンク送信ダイバーシティを実行するための方法および装置を提供することは有益であろう。
【発明の概要】
【０００５】
ＷＴＲＵにおいて実施されるＵＬ送信ダイバーシティを実行するための方法および装置が開示される。この方法は、アップリンクのプリコーディング（precoding）情報を含む信号を受信することを含む。アップリンクのプリコーディング情報は、検出されそしてＵＬ送信に適用される。ＵＬ送信は、適用されたプリコーディングの重み（weight）と共に送信される。
【図面の簡単な説明】
【０００６】
添付図面に関連して例として与えられる以下の説明から、より詳細な理解を得ることができる。
【０００７】
【図１】複数のＷＴＲＵ、１つのノードＢ、ＣＲＮＣ（Controlling Radio Network Controller）、ＳＲＮＣ（Serving Radio Network Controller）、およびコア・ネットワークを含む無線通信システムの一例を示す図である。
【図２】図１の無線通信システムの１つのＷＴＲＵおよびノードＢの機能的ブロック図の一例である。
【図３】送信ダイバーシティを有するＷＴＲＵの機能的ブロック図の一例である。
【図４】送信ダイバーシティを有する代替のＷＴＲＵの機能的ブロック図の一例である。
【図５】Ｆ−ＤＰＣＨ（Fractional Dedicated Physical CHannel）フレーム形式の一例を示す図である。
【図６】代替のＦ−ＤＰＣＨフレーム形式の一例を示す図である。
【図７】ＵＬフィードバック・ビット結合の一例を表現するＦ−ＤＰＣＨフレームの一例を示す図である。
【図８】ＵＰＣＩ（Uplink PreCoding Information）パターン・サイクルを有するＦ−ＤＰＣＨの一例を示す図である。
【図９】単一のスロット中にて送信されるＵＬフィードバックを有するＦ−ＤＰＣＨの一例を示す図である。
【図１０】ＤＬ（DownLink：ダウンリンク）チャネルにおいてプリコーディングの重みを信号送出するためのフレーム形式の一例を示す図である。
【図１１】Ｅ−ＤＰＣＣＨ（Enhanced Dedicated Physical Control CHannel）の符号化の一例を示す図である。
【発明を実施するための形態】
【０００８】
今後言及するとき、用語「ＷＴＲＵ（Wireless Transmit/Receive Unit：無線送受信ユニット）」は、限定的ではなく、ＵＥ（User Equipment：ユーザー機器）、移動局、固定型または移動体の加入者ユニット、ページャー、携帯電話、ＰＤＡ（Personal Digital Assistant）、コンピューター、または無線環境において動作する能力のある他の任意の種別のデバイスを含む。今後言及するとき、用語「基地局（Base Station）」は、限定的ではなく、ノードＢ（Ｎｏｄｅ−Ｂ）、サイト制御装置、ＡＰ（Access Point：アクセス・ポイント）、または無線環境において動作する能力のある他の任意の種別のインターフェイス・デバイスを含む。
【０００９】
図１は、複数のＷＴＲＵ１１０、１つのノードＢ１２０、ＣＲＮＣ（Controlling Radio Network Controller）１３０、ＳＲＮＣ（Serving Radio Network Controller）１４０、およびコア・ネットワーク１５０を含む無線通信システム１００を示す。ノードＢ１２０およびＣＲＮＣ１３０をＵＴＲＡＮとして集合的に呼ぶことができる。
【００１０】
図１に示されるように、ＷＴＲＵ１１０はノードＢ１２０と通信状態にあり、ノードＢ１２０はＣＲＮＣ１３０およびＳＲＮＣ１４０と通信状態にある。３つのＷＴＲＵ１１０、１つのノードＢ１２０、１つのＣＲＮＣ１３０、および１つのＳＲＮＣ１４０が図１において示されるが、無線通信システム１００においては無線および有線の装置の任意の組み合わせを含むことができることに注意すべきである。
【００１１】
図２は、図１の無線通信システム１００のＷＴＲＵ１１０およびノードＢ１２０の機能的ブロック図２００である。図２に示されるように、ＷＴＲＵ１１０はノードＢ１２０と通信状態にあり、そして両方がアップリンク送信ダイバーシティの方法を実行するように構成される。
【００１２】
典型的なＷＴＲＵで見出すことができるコンポーネントに加えて、ＷＴＲＵ１１０は処理装置１１５、受信機１１６、送信機１１７、メモリ１１８、およびアンテナ１１９を含む。メモリ１１８は、オペレーティング・システム、アプリケーションなどを含むソフトウェアを格納するために提供される。処理装置１１５は、単独で、またはソフトウェアに関連付けられて、アップリンク送信ダイバーシティの方法を実行するために提供される。受信機１１６および送信機１１７は、処理装置１１５と通信状態にある。アンテナ１１９は、受信機１１６および送信機１１７の両方と通信状態にあり、無線データの送信および受信を実行する。ＷＴＲＵ１１０においては１つのアンテナ１１９のみが示されるが、アップリンク送信ダイバーシティを実行するためにＷＴＲＵ１１０により複数のアンテナを利用することができることもまた注意すべき場合がある。
【００１３】
典型的なノードＢにおいて見出すことができるコンポーネントに加えて、ノードＢ１２０は処理装置１２５、受信機１２６、送信機１２７、メモリ１２８、およびアンテナ１２９を含む。処理装置１２５は、アップリンク送信ダイバーシティの方法を実行するように構成される。受信機１２６および送信機１２７は、処理装置１２５と通信状態にある。アンテナ１２９は、受信機１２６および送信機１２７の両方と通信状態にあり、無線データの送信および受信を実行する。ノードＢ１２０においては１つのアンテナ１２９のみが示されるが、送信ダイバーシティを実行するためにノードＢ１２０において複数のアンテナを利用することができることもまた注意すべき場合がある。
【００１４】
空間的送信ダイバーシティなど、アップリンク送信ダイバーシティを実施するためにここに多くの方法が説明される。ＵＬ送信ダイバーシティを実施するＷＴＲＵ１１０は、上で説明されたように１つより多いアンテナを含む場合がある。その結果として図３は、空間的送信ダイバーシティなど、送信ダイバーシティを有するＷＴＲＵ３００の機能的ブロック図の一例である。ＷＴＲＵ３００は、挿入（insertion）デバイス３１０1および３１０2、変調／拡散デバイス３２０1および３２０2、およびアンテナ３３０1および３３０2を含む。挿入デバイス３１０1および３１０2、は入力信号を受信し、そして信号にそれぞれプリコーディングの重み（weight）ｗｌおよびｗ２を挿入する。例えば、プリコーディングの重みｗｌは信号に適用される位相角とすることができ、一方プリコーディングの重みｗ２はプリコーディングの重みｗｌの位相から位相偏移される（phase shifted）位相角とすることができる。変調／拡散デバイス３２０1および３２０2は、挿入デバイス３１０1および３１０2から信号を受信し、そしてその信号を変調および拡散する。変調／拡散デバイス３２０1および３２０2は、それらのそれぞれの信号を異なったまたは同一の拡散符号および変調を用いて拡散することができる。アンテナ３３０1および３３０2は無線により送信するために、変調／拡散デバイス３２０1および３２０2からそれぞれの信号を受信する。
【００１５】
図４は、空間的送信ダイバーシティなどの、送信ダイバーシティを有する代替のＷＴＲＵ４００の機能的ブロック図の一例である。ＷＴＲＵ４００は、挿入デバイス４１０1および４１０2、変調／拡散デバイス４２０、およびアンテナ４３０1および４３０2を含む。変調／拡散デバイス４２０は、入力信号を受信し、そしてその信号を変調／拡散する。挿入デバイス４１０1および４１０2は、変調／拡散デバイス４２０から信号を受信し、そしてその信号にそれぞれプリコーディングの重みｗｌおよびｗ２を挿入する。例えば、プリコーディングの重みｗｌは信号に適用される位相角とすることができ、一方プリコーディングの重みｗ２はプリコーディングの重みｗｌの位相から位相偏移される位相角とすることができる。アンテナ４３０1および４３０2は、無線により送信するために挿入デバイス４１０1および４１０2からそれぞれの信号を受信する。この代替手段においては、変調／拡散デバイス４２０によってそれが拡散または変調された後に、プリコーディングの重みｗｌおよびｗ２が信号に挿入される。
【００１６】
送信ダイバーシティを実施するために、採用することができる方法には、開ループ送信ダイバーシティおよび閉ループ送信ダイバーシティの２つがある。開ループ送信ダイバーシティにおいては、それが受信機にて検出されるため、送信機はチャネル情報を意識しない。その結果として、ダウンリンク上にて送信される制御フィードバックはより少ない。ＷＴＲＵは今後言及するとき、ＷＴＲＵ１１０、ＷＴＲＵ３００、ＷＴＲＵ４００、または任意の他の種別のＷＴＲＵを言及することができる。
【００１７】
開ループ送信ダイバーシティ方式においては、ＷＴＲＵが、時空間ブロック符号化による時空間送信ダイバーシティを使用することができる。さらに、ＵＬ変調はＱＰＳＫ（Quadrature Phase Shift Keying）でもあるいは１６ＱＡＭ（Quadrature Amplitude Modulation）でもないため、シンボル・レベルにてではなくチップ・レベルにてＡｌａｍｏｕｔｉ（アラモチ）方式を適用することができる。また、ＷＣＤＭＡ  ＦＤＤ  ＤＬ信号などの、ダウンリンク信号にこれを適用することもできる。時間遅延（time delay）送信ダイバーシティによる結合時空間ブロック符号化をもまた利用することができる。
【００１８】
開ループ送信ダイバーシティの一つの代替の方式においては、ＨＡＲＱ（Hybrid Automatic Repeat Request）手順を介して送信ダイバーシティを達成することができる。例えば、それぞれのＨＡＲＱ再送信に対して構成設定されたまたは予め定義された１組のプリコーディングの重みをそれぞれのアンテナに適用することができる。ノードＢ１２０は、例えば、Ｅ−ＤＰＣＣＨ上のＲＳＮ（Retransmission Sequence Number）値、ＳＦＮ（System Frame Number）、ＣＦＮ（Connection Frame Number）、サブフレーム番号、またはそれらの任意の組み合わせに基づき、いずれのプリコーディングの重みが使用されるかを知ることができる。
【００１９】
開ループ方式においては、予め定義されたまたは予め構成設定された１組のプリコーディングの重みを時間的に入れ替えることにより、送信ダイバーシティをまた達成することができる。そしてＷＴＲＵは異なった１組のプリコーディングの重みを時間的に入れ替えた形で使用することができ、ここでプリコーディングの重みを入れ替えるための時間の単位はまた、例えば所与のスロット、ＴＴＩ、またはフレームの数として予め構成設定し、または予め定義することができる。一例においては、４つのプリコーディングの重みの組によりＷＴＲＵを構成設定することができる。ＴＴＩごとに異なった組の重みを使用し、いずれのプリコーディングの重みが使用されているかをノードＢが意識しているようにすることができる。
【００２０】
別の代替の開ループ送信ダイバーシティ方式においては、時間的に遅延された送信ダイバーシティを採用することができる。例えば、１つのアンテナ上の送信を別のアンテナ上の送信に対して遅延させることができる。ここで、ネットワークによるなどで、時間遅延を予め構成設定しまたは予め定義することができる。あるいはまた、１組のプリコーディングの重みを非遅延送信に対して使用し、一方で時間的に遅延された送信信号に対して別の組を使用することができる。さらに、例えばＲＳＮ、ＳＦＮ、ＣＦＮ、サブフレーム番号、またはそれらの任意の組み合わせに基づき、ＨＡＲＱ送信ごとにプリコーディングの重みまたは遅延を変えることができる。
【００２１】
開ループ送信ダイバーシティ方式に対比して、閉ループ送信ダイバーシティ方式においては、受信機にて検出されるチャネルの状態、または使用されるべきプリコーディング情報について送信機には知識がある。この知識は、ノードＢ１２０が使用すべく望んでいるプリコーディングの重みを受信機（例えばノードＢ１２０）が送信機（例えばＷＴＲＵ）に通信する形態である場合がある。高速フィードバック・チャネル上にて送信機に情報を送信し戻すことによって、これを達成することができる。あるいはまたはさらに加えて、送信機（例えばＷＴＲＵ）は、送信するためにいずれのプリコーディングの重みを適用または使用するかを判定するためにチャネル状態情報を利用することができる。
【００２２】
受信機から送信機へ送信し戻される好適なプリコーディングの重みの情報には、例えばプリコーディングの重みの表への索引を含むことができる。一例においては、表中のそれぞれの索引付けされた位置には、１つまたは複数のプリコーディング・ベクトルに対応する１つまたは複数のプリコーディングの重みが含まれる。そのような例においては、プリコーディング・ベクトルは１つまたは複数の重みを形成する重みベクトルｗk＝［ｗk,1，ｗk,2，・・・ｗk,N］を含むことができ、ここでｋは重みベクトルの索引指標であり、そしてＮはそのアンテナ数に対応するベクトルにおける要素数である。図３および図４の例において表現されるように、２つアンテナの特定の場合に対しては、プリコーディング・ベクトルは２つのエントリー（１アンテナあたり１つ）ｗｌおよびｗ２を含む。一般的には、複数のプリコーディング・ベクトルを考慮すると、ｗk＝［ｗk,1，ｗk,2］としてそれぞれのベクトルｋを表すことができる。２つアンテナの送信ダイバーシティ・システムに対するＮの重みベクトルを含む表の一例が下の表１において示される。
【００２３】
【表１】
0005792840.tif 000002
【００２４】
閉ループ・ダイバーシティを実行する１つの方法においては、例えばＦ−ＤＰＣＨ上にてフィードバックを伝達することができる。ＷＴＲＵなどのフィードバックを受信する送信機は、いずれのプリコーディングの重み、または重みベクトルを使用するべきかを判定するためにＦ−ＤＰＣＨビットの値を解釈し直すことができる。図５は、Ｆ−ＤＰＣＨフレーム形式５００の一例を示し、これは従来のＦ−ＤＰＣＨフレーム形式と同様とすることができる。Ｆ−ＤＰＣＨフレーム形式５００は、複数のスロット５１０（例えば、５１０0、５１０1、…、５１０i、…、５１０14）を含む。それぞれのスロット５１０は、ＴｘＯＦＦ（Transmit（Ｔｘ） OFFset）フィールド、ＴＰＣ（Transmit Power Control）フィールド、および別のＴｘＯＦＦフィールドなどの、複数のフィールドを含む。例えばスロット５１０ｉを使用して、ＴｘＯＦＦフィールド５１１は、ＮOFF1ビットを含み、ＴＰＣフィールド５１２はＮTPCビットを含み、そしてＴｘＯＦＦフィールド５１３はＮOFF2ビットを含む。以下の表２は、Ｆ−ＤＰＣＨスロット５１０iの例のフィールドにおける情報を示す情報表の一例である。
【００２５】
【表２】
0005792840.tif 000003
【００２６】
ここで表２を参照すると、Ｆ−ＤＰＣＨスロット５１０ｉはスロットあたりのＴＰＣコマンドに関して２ビットの情報を含む（すなわち、ＮTPC＝２）。Ｆ−ＤＰＣＨスロット形式の一例においては、２つのＴＰＣコマンド・ビットの内の１つを利用してＴＰＣコマンドを表し、一方もう片方では、いずれのプリコーディングの重みを適用すべきかを表すことができる。例えばＦ−ＤＰＣＨスロット形式５１０ｉのＴＰＣフィールド５１２中の第２のビットが「０」である場合には、第１のプリコーディング重みベクトル（ｗｌ）を適用することができ、一方第２のビットが「１」である場合には、第２のプリコーディング重みベクトル（ｗ２）を適用することができる。そしてＷＴＲＵは、対応するＴＰＣコマンドが適用されているそれぞれのスロットにおいて同一時刻にてプリコーディングの重みを適用することができる。
【００２７】
代替の方法においては、修正されたＦ−ＤＰＣＨスロット形式を利用して、ＷＴＲＵが使用すべきであるとノードＢが望むプリコーディングの重み、または重みベクトルをＷＴＲＵに通知することができる。図６は、そのような代替のＦ−ＤＰＣＨフレーム形式の一例６００を示す。Ｆ−ＤＰＣＨフレーム形式６００は、複数のスロット６１０（例えば、６１０0、６１０1、…、６１０i、…、６１０14）を含み、これらはＦ−ＤＰＣＨ形式５００と同様に複数のフィールドを含む。例えばスロット６１０iを使用して、ＴｘＯＦＦフィールド６１１はＮOFF1ビットを含み、そしてＴｘＯＦＦフィールド６１３はＮOFF2ビットを含む。しかしながらフィールド６１２は、ＮTPCビットおよびＮUPCIビットの両方を含む、ＴＰＣおよびＵＰＣＩ（Uplink PreCoding Information）両方のフィールドである。下の表３は、Ｆ−ＤＰＣＨスロット形式の例６１０iのフィールドにおける情報を示す情報表の一例である。
【００２８】
【表３】
0005792840.tif 000004
【００２９】
上の表３中に示されるように、ＮTPCビットが２に等しいと、ＮUPCIビットは０に等しくなる。ＮTPCビットが１である場合には、ＮUPCIビットは１である。その結果としてＷＴＲＵは、スロット形式「０」は両方のビットがＴＰＣに寄与するとして、一方スロット形式「０Ａ」はその第２のビットがＵＰＣＩに寄与するとして解釈されるなどと、スロット形式を解釈することができる。いずれのスロット形式が利用されるかをそれが知ることを可能とするために、例えばＲＲＣ信号方式を介して、Ｆ−ＤＰＣＨフレーム形式を使用して、ネットワークによりＷＴＲＵを構成設定することができる。構成設定された結果ＷＴＲＵは、その接続の間中またはネットワークから再構成を受信するまで、同一のＦ−ＤＰＣＨフレーム形式を使用することができる。
【００３０】
図６のＦ−ＤＰＣＨスロット形式６１０iを利用する代替の方法においては、ＵＰＣＩフィールドに含まれる「１」ビットは好適なプリコーディングの重みを表すことができ、一方ＴＰＣフィールドからの「１」ビットは、ＴＰＣコマンドのために利用することができる。固定数のＦ−ＤＰＣＨコマンドまたはスロットにわたるＵＰＣＩビットを結合することによって、プリコーディングの重みに索引付けすることができ、これにより２つより多いプリコーディングの重みまたは重みベクトルの索引付けを可能とすることができる。
【００３１】
例えばＭの連続したＵＰＣＩビットを結合すると、２Mの予め定義された符号化重みベクトルの内の１つに索引付けすることができる。Ｍ＝３の例を使用すると、ノードＢは、３ビットの索引のそれぞれのビットを、３つの無線スロットにわたってＵＰＣＩフィールドにおいて１回に１つずつ送信することにより、８つのプリコーディング重みベクトルの内の１つの索引を信号送出することができ、これらのスロットは、連続した無線スロットである場合、またはそうでない場合がある。そしてＷＴＲＵは３つのＵＰＣＩビットを蓄積し、そして次のＵＬ無線スロットエッジ（slot edge）、または予め定義された将来のＵＬ無線スロットエッジに、プリコーディング・ベクトルを適用することができる。図７は、ＵＬフィードバック・ビット結合の一例７００を表現するＦ−ＤＰＣＨフレームの一例を示す。図７においては、プリコーディング索引は、Ｆ−ＤＰＣＨのＵＦＢフィールド中に含まれ、そして例えばａ0ａ1ａ2、ｂ0ｂ1ｂ2、ｃ0ｃ1ｃ2、ｄ0ｄ1ｄ2、およびｅ0ｅ1ｅ2と指定されて示される。ＷＴＲＵは次に復号化し、そして例えばＤＰＣＣＨ上のＵＬに関してプリコーディングの重みを適用する。さらに、プリコーディングの重みの受信およびそれらのＵＬにおける適用の間に時間遅延がある場合がある。
【００３２】
閉ループ・アップリンク送信ダイバーシティを実行するための別の方法の一例においては、予め決められたサイクルにわたって、ＴＰＣフィールド中のＦ−ＤＰＣＨの２ビットを交替し、ＴＰＣコマンドまたはプリコーディングの重みまたは重みベクトルのいずれかを示すことができる。すなわち所与のサイクルにわたって、ＷＴＲＵはいくつかのスロットにおいてＴＰＣフィールドをＴＰＣコマンドであるとし、一方他のスロットにおいてはＵＰＣＩとして解釈することができる。図８は、ＵＰＣＩパターン・サイクルを有するＦ−ＤＰＣＨの一例８００を示す。サイクル長（例えばＮcycleの無線スロットまたは１フレーム）およびオフセット（例えば無線スロットまたはサブフレームを単位としてのＮoffset）を構成することができ、これがパターンを定義する。そのパターンは、スロットにおいてＴＰＣコマンド８１０がいつ送信され、そしてＵＰＣＩ８２０がいつ送信されるかを示す。例えば図８に示された例において、Ｎcycleは２つの無線フレームに等しく、一方Ｎoffsetは２６の無線スロットに等しい。あるいはまた、サイクル長および／またはオフセットは、ミリセカンドなどの時間単位にて表現することができる。
【００３３】
引き続き図８を参照して、ＵＰＣＩビット８２０が送信されるスロットはＴＰＣ情報を伝達することができない。その時点では送信機がＴＰＣコマンドを受信していないので、ＵＰＣＩビット８２０スロットの直前に先行するスロット（すなわち最後のＴＰＣビットのスロット８１０）において使用されたものと同一のＤＰＣＣＨ送信電力をそれが維持することができる。ＵＰＣＩビットを検出した後に送信機は、アップリンク送信に対応するプリコーディングの重みを適用する。送信機がそのＵＰＣＩを含むＦ−ＤＰＣＨを受信した後にすぐに、または予め定義された時間の瞬間にこの適用を生起させることができる。一例においては、次のスロット境界（boundary）にて適用を生起させることができる。
【００３４】
図９は、単一のスロットにおいて送信されるＵＬフィードバックを有するＦ−ＤＰＣＨの一例９００を示す。この例においては、Ｆ−ＤＰＣＨ９１０はＵＰＣＩビットを含み、このビットがダウンリンクにおいて送信機によって検出される。そして送信機は、アップリンクＤＰＣＣＨ９２０上の次のフレームにおいてプリコーディングの重みを適用する。例えば図９において示されるように、Ｆ−ＤＰＣＨ９１０上にてＵＰＣＩビットを受信するまで、送信機はプリコーディング重みベクトルｗA（Ａ）を適用する。その時点にて送信機は、ＵＰＣＩビットを検出し、そしてプリコーディング重みベクトルｗB（Ｂ）を使用するべきと判断する。その結果として次のＵＬ  ＤＰＣＣＨフレーム９２０の始めに送信機は、プリコーディング重みベクトルｗBを適用し始める。
【００３５】
閉ループ・ダイバーシティを実行する別の方法においては、追加的ダウンリンク物理チャネル上にてフィードバックを伝達することができる。この追加的ダウンリンク物理チャネルは例えば、既存のＦ−ＤＰＣＨと同様のフレームおよびスロット形式を選ぶことができる。これらの場合においては、ＷＴＲＵは同時にチャネルのように２つまでのＦ−ＤＰＣＨを受信および処理することができる。この内１つがＴＰＣコマンドを伝達し、そして他方がプリコーディング情報を伝達する。ここに説明した複数のプリコーディング情報ビットを送信するための他の方法と組み合わせて、この方法を使用することが可能である。
【００３６】
閉ループ送信ダイバーシティを実行するための別の方法例においては、Ｅ−ＡＧＣＨ（Enhanced dedicated channel Access Grant CHannel）サブフレーム上にてプリコーディングの重みを送信することができる。新しいプリコーディングの重みを含む新しいＥ−ＡＧＣＨサブフレームが受信されるまで、ＷＴＲＵは送信されたプリコーディングの重みを利用することができる。Ｅ−ＡＧＣＨ中の既存のビットの再解釈（reinterpretation）を介して、またはＥ−ＡＧＣＨを修正することによって、（例えばＵＰＣＩフィールドを追加）、この信号送出を達成することができる。新しいＨＳ−ＳＣＣＨ（High Speed Shared Control CHannel）を使用して、プリコーディングの重みを表すことができ、ここでもやはり新しいプリコーディングの重みを受信するまで、ＷＴＲＵは表されたプリコーディングの重みを適用する。さらに、ノードＢまたはネットワークからプリコーディングの重みを受信した後の予め定められた期間の経過の後に１組の予め定義されたプリコーディングの重みをデフォルトとするようにＷＴＲＵを構成することができる。例えばＥ−ＡＧＣＨまたはＨＳ−ＳＣＣＨ上にて伝達されるなどで、ＷＴＲＵが新しいプリコーディングの重み情報を受信すると、ＷＴＲＵはタイマーを始動しそして新しいプリコーディングの重みを適用することができる。タイマーが満了すると、ＷＴＲＵは予め定義されたデフォルトのプリコーディングの重みを適用するように立ち戻ることができる。ＷＴＲＵは新しいプリコーディングの重みを受信するたびに、タイマーをリセットすることができる。
【００３７】
別の例におけるプリコーディングの重みは、Ｅ−ＲＧＣＨ（Ｅ−ＤＣＨ Relative Grant CHannel）またはＥ−ＨＩＣＨ（Ｅ−ＤＣＨ  ＨＡＲＱ acknowledgment Indicator CHannel）などの、またはこれらと同様な、ダウンリンク制御チャネル上にて送信することができる。図１０は、ＤＬ（DownLink：ダウンリンク）チャネルにおいてプリコーディングの重みを信号送出するためのフレーム形式の一例１０００を示す。フレーム形式１０００は、複数のスロット１０１０（スロット＃０、スロット＃ｌ、スロット＃２、スロット＃ｉ、スロット＃１４と指定）を含む。それぞれのスロット１０１０中にビット系列１０１１が含まれる。スロットの一例としてスロット＃ｉ（１０１０i）を使用すると、それぞれビット系列ｂi,0、ｂi,1からｂi,39を含むビット系列ｌ０ｌｌi,0、１０１１i,1、…、１０１１i,39を含み、これらが順に４０の直交系列の１つに対応する。
【００３８】
ネットワークが、ＲＲＣ信号方式を介してそれぞれのＷＴＲＵまたはＷＴＲＵのグループに１つまたは複数の直交系列を割り当てることができ、これが信号送出されたプリコーディングの重みによって多重化されまたは変調される。そして予め定められたスロット数（例えば２ｍｓ  ＴＴＩについて３つのスロット）にわたってこれらの変調された直交系列を繰り返すことができる。プリコーディングの重みコマンド中の、１つのＴＴＩから別のものへの、または１つのスロットから別のものへの系列ホッピングを適用することもまたできる。例えば、３ＧＰＰ仕様における例えばレリース６などの、Ｅ−ＨＩＧＨおよびＥ−ＲＧＣＨに対して使用される系列ホッピングを使用することができる。系列ホッピングのこの例においては、特定のＷＴＲＵに割り付けられた直交系列が、予め定義された方法にて３スロットごとに変えられる。
【００３９】
複数のノードＢ１２０またはセルがある１つのＷＴＲＵのアクティブな組の一部である場合、例えばそのＷＴＲＵがソフト・ハンドオーバー状態にある場合においては、アクティブな組のそれぞれのノードＢ１２０またはセルは、説明された任意の方法を使用してプリコーディングの重みのコマンドをＷＴＲＵに転送することができる。すべてのノードＢ１２０またはセルからのプリコーディングの重み情報を結合し、ＵＬ送信のための最適なプリコーディングの重みを決定するようにＷＴＲＵを構成することができる。例えば、プリコーディングの重み［ｗｌ、ｗ２］が値［１，０］または［０，１］しか取ることができない場合には、ＵＬ送信のためのプリコーディング・ベクトルをアクティブな組におけるノードＢ１２０またはセルの多数決によるプリコーディングの重みとして選定するようにＷＴＲＵを構成することができる。
【００４０】
あるいはまた、対応する（serving）Ｅ−ＤＣＨノードＢがプリコーディングの重みコマンドを送信することができ、ここではアクティブな組の中の他のノードＢまたはセルは、いずれのプリコーディングの重み情報をも送出しない。この場合においては、ＷＴＲＵは対応するＥ−ＤＣＨノードＢから受信されたプリコーディングの重み情報を適用することができる。
【００４１】
ノードＢ１２０が２つの送信アンテナからのチャネルを適切に推定するために、それぞれのアンテナ（すなわちアンテナ３３０または４３０のそれぞれ）からパイロット・ビットを送信するようにＷＴＲＵを構成することができ、そしてそれらのパイロット・ビットに重み付けすることができる。その上、それぞれのアンテナから発出されるパイロットを区別するようにノードＢ１２０を構成することができる。ＷＣＤＭＡ  ＦＤＤシステムなどのシステムにおいては、ＤＰＣＣＨ（Dedicated Physical Control CHannel）上にてパイロット・ビットを伝達することができる。
【００４２】
一つの方法例においては、それぞれのアンテナの間でＤＰＣＣＨを交替して送信することができ、ここで交替のサイクルは予め定義するか、またはネットワークにより構成設定することができる。例えば、ＷＴＲＵはＤＰＣＣＨの送信をスロットごとに交替して行うことができる。別の例においては、この交替をＴＴＩごとに実行することができる。あるいはまたはさらに加えて、交替の系列は同一のまたは前のＴＴＩ中のＥ−ＤＣＨ送信に関連付けられたＲＳＮに依存することができる。
【００４３】
別の方法例においては、１アンテナあたり１つのＤＰＣＣＨを送信することができ、そして異なったスクランブリング符号および／またはチャネライゼーション符号を使用して第２のアンテナに対するＤＰＣＣＨを送信することができる。また、第２のアンテナ上にて送信されたＤＰＣＣＨの新しいスロット形式を、新しいＤＰＣＣＨのみがパイロット・ビットを伝達する（すなわちＴＰＣコマンド無しで）ように、設計することができる。
【００４４】
別の代替の方法においては、２つのＵＬ送信アンテナ上にて、２つの直交パイロット・パターン、または系列を送信するようにＷＴＲＵを構成することができる。これらのパイロット・パターンは、ＭＩＭＯまたはＴＸダイバーシティ動作を支援するように上位層によって予め定義し、そして構成設定することができる。従来品との互換性に対しては、主アンテナが第１アンテナのＤＰＣＣＨ上にて従来のパイロット・パターンを送信することができる。そして第２のアンテナがＤＰＣＣＨ上にて異なった、オプション的に直交のパイロット・パターンを送信することができる。第２のＤＰＣＣＨのＴＰＣフィールドは、追加パイロット・ビットを含むことができ、いずれの情報も伝達することができず（すなわち、ＤＴＸｅｄ（Discontinuously Transmitted（ＴＸｅｄ））、または主ＤＰＣＣＨ上のＴＰＣフィールドと同一のＴＰＣ情報を含むことができる。
【００４５】
プリコーディングの重みを選択するための別の代替の方法においては、プロービング（probing）を採用することができる。この方法においては、ｗｌなどの、第１の組の重みを使用してその送信の部分（ｆｌ）を、およびｗ２の第２の組の重みを使用してその送信の部分（ｆ２）を送出するようにＷＴＲＵを構成することができ、ここでｗｌは、要素の数がアンテナの数に対応するベクトルである。一例においては、部分１は部分２より大きく（ｆｌ＞ｆ２）、そして両方の部分の合計は１に等しい（ｆｌ＋ｆ２＝１）。例えばＷＴＲＵは、３つの内の２つのスロットに対して重みｗｌを、そして残っているスロットに対して重みｗ２を使用して送信することができる。あるいはまたＷＴＲＵは、４つの内の３つのサブフレームに対して重みｗｌを、そして４つの内の１つのサブフレームに対して重みｗ２を使用して送信することができる。基地局受信機またはノードＢ１２０は使用する重みのパターンを知ることができる。
【００４６】
チャネルのフェーディング状態によっては、２組の重みの内の１つ（ｗｌまたはｗ２）が他方より好ましい受信をもたらす場合がある。基地局受信機またはノードＢ１２０は、パターンに関する知識および所与の時間の瞬間での受信の品質に基づき、いずれの重みの組が最適のものであるかを検出することができる。この情報に基づき、基地局またはノードＢ１２０は、例えば上で説明されたフィードバック方法の内の１つに従って、フィードバック信号を送出することができる。いろいろな方法にてフィードバック信号を設計することができる。
【００４７】
例えば、送信の最大部分（例えばｆｌ）の間、最良の重みの組を使用することができるように、フィードバック信号が定期的に送出され、そしてＷＴＲＵが重みの組ｗｌおよびｗ２を入れ替えることができるか否かを表すことができる。別のオプションにおいては、フィードバック信号が定期的に送出され、そしていずれの重みの組を部分ｆｌおよびｆ２の間に使用することできるかを表すことができる。２組の予め定義された重みについて１ビットを使用してこれを達成することができる。
【００４８】
別の代替においては、送信の最大部分の間、最良の重みの組を使用することができるように、ノードＢ１２０が重みの組を入れ替えるようにコマンドすることを欲するときにのみ、フィードバック信号を送出することができる。例えば、特有なＥ−ＲＮＴＩ（Ｅ−ＤＣＨ Radio Network Temporary Identifier）を使用する新しいＨＳ−ＳＣＣＨオーダーまたは特定のＥ−ＡＧＣＨ値がある場合がある。
【００４９】
上の部分的な重み付けのオプションを２つより多くの重みの組を使用するように拡張することができる。さらに、チャネルの可干渉時間によって、最適性能になるように、部分ｆｌまたはｆ２を上位層により調整することができる。また、チャネル変動の速さによって許容されるのと同程度の部分の相違（ｆｌおよびｆ２の間の）を有することが有益である場合がある。
【００５０】
ＵＬ送信に適用されるべきプリコーディングの重みを、ＷＴＲＵがＵＴＲＡＮに対して表すことができるようにすることもまた、一つの代替の方法である。例えば、個々のアンテナ・プリコーディングの重みを含むプリコーディング重みベクトルのリストへの索引をＵＬ送信の一部として信号送出することができる。この表示は、ＵＰＷＩ（Uplink Precoding Weight Information）フィールドの形をとることができる。
【００５１】
ＵＬ  ＤＰＣＣＨスロット形式は、ＵＰＷＩフィールドまたは既存のＵＬ  ＤＰＣＣＨスロット形式でのいくつかのビットの再解釈（reinterpretation）を含むことができる。下の表４は、ＵＬ  ＤＰＣＣＨスロット形式の情報表の一例を示し、ここで最後の３つの列がＵＰＷＩフィールドを含む。
【００５２】
【表４】
0005792840.tif 000005
【００５３】
この例においては、既存のＵＬ  ＤＰＣＣＨスロット形式が、プリコーディングの重み情報を判定するためのビットの再解釈（reinterpretation）を含み、プリコーディングの重み情報として既存のフィールドの内容を解釈することができる。例えば、スロット形式５およびスロット形式０は互いによく似ている。したがって、プリコーディングの重み情報としてスロット０においてＮTFCIフィールド中のビットを再解釈することができる。
【００５４】
さらに、アップリンク・プリコーディングの重み情報フィールドを含む新しいＥ−ＤＰＣＣＨスロット形式を利用することができる。ここでもＵＰＷＩフィールド、例えば２ビットのフィールド、を加えることによって、これを達成することができ、これがＥ−ＤＰＣＣＨの符号化率を増加させることができる。この例においては、Ｅ−ＤＰＣＣＨに対して符号化するビットの総数は１２（すなわちＥ−ＴＦＣＩのための７ビット、ハッピー・ビット１ビット、ＲＳＮのための２ビット、およびＵＰＷＩのための２ビット）まで上げられる。例えば、（３２，１０）Ｒｅｅｄ−Ｍｕｌｌｅｒ（リード−マラー）符号中に２つの新しい基底（basis）を加えることによって（３２，１２）符号がもたらされ、追加２ビットを符号化することができる。
【００５５】
あるいはまた、Ｅ−ＤＰＣＣＨ中で符号化しないでＵＰＷＩビットを送信することができ、または従来のＥ−ＤＰＣＣＨフィールドとは別にＵＰＷＩビットを符号化することができる。Ｅ−ＤＰＣＣＨの従来のフィールドを、従来の（３２，１０）リード−マラー符号を使用して符号化することができるが、結果としての符号化されたビットの予め定義された部分集合（ＮE-DPCCH＜３０）のみが送信される。ＵＰＷＩを伝達するために残りのビットを使用することができる。この方法では、従来のＥ−ＤＰＣＣＨフィールドとは異なった保護によるＵＰＷＩ送信を可能とする。
【００５６】
図１１は、Ｅ−ＤＰＣＣＨの符号化の一例１１００を示す。図１１に示されるように、Ｅ−ＴＦＣＩ、ハッピー・ビット、およびＲＳＮが、多重化機能１１０１、符号化機能（例えば（３２，１０）リード−マラー符号化）１１０２、および符号化ビット選択機能１１０３を通って進む。そしてＵＰＷＩフィールドは、新しいＥ−ＤＰＣＣＨ物理チャネル対応付け（mapping）機能１１０４においてＥ−ＤＰＣＣＨに対応付けられる。例えば対応付けを連続的に扱うことができる、すなわち従来のＥ−ＤＰＣＣＨフィールドからのすべての符号化されたビットが最初に、次にＵＰＷＩフィールドからのビットが送信される。あるいはまた、対応付けの順序を逆にすることができる。すなわち、ＵＰＷＩフィールドからのビットが最初で、次に従来のＥ−ＤＰＣＣＨフィールドからの符号化されたビットが送信される。別の例においては、従来のＥ−ＤＰＣＣＨフィールドからの符号化されたビットにＵＰＷＩフィールドからのビットをインタリーブ（interleave）することができる。インタリーブの一例は、例えば無線スロットの最後のシンボルの間に、スロットごとに１つのＵＰＷＩビットを送信することを含むことができる。
【００５７】
ＷＴＲＵからアップリンク・プリコーディングの重み情報を送信するために他の代替の方法がある。一例においては、ＵＬ  ＤＰＣＣＨ上にＷＴＲＵによって送信されるパイロット系列がアップリンク・プリコーディングの重み情報を表すことができる。例えば、プリコーディング重みベクトル１に対してパイロット系列１を使用することができ、そしてプリコーディング重みベクトル２に対してパイロット系列２を使用することができる。新しいＭＡＣ（Media Access Control）層のヘッダー要素または他のＬ２（Ｌａｙｅｒ  ２：第２層）ヘッダー情報要素もまた、ＵＬプリコーディング情報を転送するために使用することができる。
【００５８】
特徴および要素が上で特定の組み合わせにて記述されているが、それぞれの特徴または要素は、他の特徴および要素なしで単独にて、または他の特徴および要素の有無にかかわらず様々な組み合わせにて使用することができる。ここに提供される方法またはフロー図は、汎用目的のコンピューターまたは処理装置による実行のための、コンピューターにて読み取り可能な記憶媒体に組み込まれたコンピューター・プログラム、ソフトウェア、またはファームウェアにて実施することができる。コンピューターにて読み取り可能な記憶媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Digital Versatile Disk）などの光学媒体が含まれる。
【００５９】
適当な処理装置の例としては、汎用目的処理装置、専用目的処理装置、従来の処理装置、ＤＳＰ（Digital Signal Processor）、複数のマイクロ処理装置、ＤＳＰコアに関連付けられた１つまたは複数のマイクロ処理装置、制御装置、マイクロ制御装置、ＡＳＩＣ（Application Specific Integrated Circuit）、ＦＰＧＡ（Field Programmable Gate Array）回路、他の任意の種別のＩＣ（Integrated Circuit：集積回路）、および／または状態マシンが含まれる。
【００６０】
ＷＴＲＵ、ＵＥ、端末、基地局、ＲＮＣ（Radio Network Controller）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Bluetooth（登録商標））モジュール、ＦＭ（Frequency Modulated）無線ユニット、ＬＣＤ（Liquid Crystal Display）表示ユニット、ＯＬＥＤ（Organic Light-Emitting Diode）表示ユニット、デジタル音楽プレーヤー、メディア・プレーヤー、テレビゲーム・プレーヤー・モジュール、インターネット・ブラウザー、および／または任意のＷＬＡＮ（Wireless Local Access Network）モジュールもしくはＵＷＢ（Ultra Wide Band）モジュールなどのモジュールと連動して使用することができる。
【００６１】
実施形態：
１．ＷＴＲＵにおいて実施される、アップリンク送信ダイバーシティを実行するための方法。
【００６２】
２．前記ＷＴＲＵが、少なくとも１つの送信アンテナ上にて１つのパイロット・ビットを送信するステップをさらに具備する、実施形態１の方法。
【００６３】
３．前記ＷＴＲＵが、アップリンク・プリコーディング情報を含む信号を受信するステップであって、前記アップリンク・プリコーディング情報が、ＵＬプリコーディングの重みを含むことをさらに具備する、前のいずれかの実施形態の方法。
【００６４】
４．前記ＷＴＲＵが、前記アップリンク・プリコーディング情報を検出するステップおよびＵＬ送信に対して前記ＵＬプリコーディングの重みを適用するステップをさらに具備する、前のいずれかの実施形態の方法。
【００６５】
５．前記ＷＴＲＵが、前記適用されたプリコーディングの重みと共に前記ＵＬ送信を送信するステップをさらに具備する、前のいずれかの実施形態の方法。
【００６６】
６．前記プリコーディング情報が、前記ＷＴＲＵの第１のアンテナ上での送信に適用される第１のプリコーディングの重みを含む、前のいずれかの実施形態の方法。
【００６７】
７．前記第１のプリコーディングの重みが、前記ＵＬ送信に適用される位相角である、前のいずれかの実施形態の方法。
【００６８】
８．前記プリコーディング情報が、前記ＷＴＲＵの第２のアンテナ上での送信に適用される第２のプリコーディングの重みを含む、前のいずれかの実施形態の方法。
【００６９】
９．前記第２のプリコーディングの重みが、前記第２のアンテナ上での前記ＵＬ送信に適用される第１のプリコーディングの重みの位相偏移角である、前のいずれかの実施形態の方法。
【００７０】
１０．前記プリコーディング情報が、Ｆ−ＤＰＣＨ（Fractional Dedicated Physical CHannel）フレーム・スロット中に含まれる、前のいずれかの実施形態の方法。
【００７１】
１１．前記Ｆ−ＤＰＣＨスロット形式が、前記プリコーディング情報を含むＵＰＣＩ（Uplink PreCoding Information）フィールドを含む、前のいずれかの実施形態の方法。
【００７２】
１２．前記プリコーディング情報が、前記Ｆ−ＤＰＣＨのＴＰＣ（Transmit Power Control）フィールド中に含まれる、前のいずれかの実施形態の方法。
【００７３】
１３．Ｆ−ＤＰＣＨスロット中に含まれるＴＰＣ（Transmit Power Control：送信電力制御）フィールドおよびＵＰＣＩフィールドが時間的に交替される、前のいずれかの実施形態の方法。
【００７４】
１４．前記送信電力が、前記ＵＰＣＩフィールド・スロットに先立って送信された前記ＴＰＣフィールドに従って前記ＵＰＣＩフィールド・スロット送信の間適用される、前のいずれかの実施形態の方法。
【００７５】
１５．前記プリコーディング情報が、Ｅ−ＡＧＣＨ（Enhanced dedicated channel Access Grant CHannel）サブフレーム中に含まれる、前のいずれかの実施形態の方法。
【００７６】
１６．前記ＷＴＲＵが、前記プリコーディング情報の受信の後にタイマーを始動するステップをさらに具備する、前のいずれかの実施形態の方法。
【００７７】
１７．前記ＷＴＲＵが、前記表されたプリコーディングの重みを適用するステップをさらに具備する、前のいずれかの実施形態の方法。
【００７８】
１８．前記ＷＴＲＵが、前記タイマーの満了という条件にてデフォルトのプリコーディングの重みを適用するステップをさらに具備する、前のいずれかの実施形態の方法。
【００７９】
１９．前記パイロット・ビットが、それぞれのアンテナ上にて時間的に交替させてＤＰＣＣＨ（Dedicated Physical Control CHannel）を送信、異なったチャネライゼーション符号を使用して１アンテナあたり１つのＤＰＣＣＨを同時に送信、および異なったパイロット・ビット系列を使用して１アンテナあたり１つのＤＰＣＣＨを同時に送信、の送信技法の内の１つを使用して複数のアンテナのそれぞれ上にて送信される、前のいずれかの実施形態の方法。
【００８０】
２０．第２のアンテナ上にて送信される前記ＤＰＣＣＨが、ＴＰＣ（Transmit Power Control）情報を含まない、前のいずれかの実施形態の方法。
【００８１】
２１．前記ＷＴＲＵが、ＵＬ（UpLink：アップリンク）送信に対して適用するためのプリコーディングの重み情報を決定するステップであって、前記決定されたプリコーディング情報がプリコーディング重みベクトルのリストへの索引であることをさらに具備する、前のいずれかの実施形態の方法。
【００８２】
２２．前記ＷＴＲＵが、前記決定されたプリコーディングの重み情報を送信するステップをさらに具備する、前のいずれかの実施形態の方法。
【００８３】
２３．前記ＷＴＲＵが、前記適用されたプリコーディング情報を有するＵＬ送信を送信するステップをさらに具備する、前のいずれかの実施形態の方法。
【００８４】
２４．前記プリコーディング情報が、ＤＰＣＣＨ（Dedicated Physical Control CHannel）スロット形式中に含まれる、前のいずれかの実施形態の方法。
【００８５】
２５．前記ＤＰＣＣＨスロット形式が、前記プリコーディング情報を含むＵＰＷＩ（Uplink Precoding Weight Information）フィールドを含む、前のいずれかの実施形態の方法。
【００８６】
２６．前記プリコーディング情報が、Ｅ（enhanced）− ＤＰＣＣＨスロット形式中に含まれる、前のいずれかの実施形態の方法。
【００８７】
２７．前のいずれかの実施形態の方法を実行するように構成されたＷＴＲＵ。
【００８８】
２８．受信機をさらに具備する、実施形態２７のＷＴＲＵ。
【００８９】
２９．送信機をさらに具備する、実施形態２７〜２８のいずれかのＷＴＲＵ。
【００９０】
３０．前記受信機および／または送信機と通信状態にある処理装置をさらに具備する、実施形態２７〜２９のいずれかのＷＴＲＵ。
【００９１】
３１．処理装置が、少なくとも１つの送信アンテナ上にて１つのパイロット・ビットを送信、アップリンク・プリコーディング情報を含む信号を受信することであって前記アップリンク・プリコーディング情報がＵＬプリコーディングの重みを含むこと、前記アップリンク・プリコーディング情報を検出および前記ＵＬプリコーディングの重みをＵＬ送信に適用、および／または前記適用されたプリコーディングの重みと共に前記ＵＬ送信を送信、の内の１つまたは複数を実行するように構成される、実施形態２７〜３０のいずれかのＷＴＲＵ。
【００９２】
３２．第１のアンテナおよび第２のアンテナをさらに具備することであって、前記プリコーディング情報が、前記第１のアンテナによるＵＬ送信に適用するための第１のプリコーディングの重み、および前記第２のアンテナによるＵＬ送信に適用するための第２のプリコーディングの重みを含むことをさらに具備する、実施形態２７〜３１のいずれかのＷＴＲＵ。
【図１】
0005792840.tif 000006
【図２】
0005792840.tif 000007
【図３】
0005792840.tif 000008
【図４】
0005792840.tif 000009
【図５】
0005792840.tif 000010
【図６】
0005792840.tif 000011
【図７】
0005792840.tif 000012
【図８】
0005792840.tif 000013
【図９】
0005792840.tif 000014
【図１０】
0005792840.tif 000015
【図１１】
0005792840.tif 000016